(57)【要約】【課題】側面の上端および下端にそれぞれ面取り部を有し、かつ基板の側面にプラスチックテープを接着剤により接着した建築用板材であって、基板とプラスチックテープとを接着する接着剤が外部から見えることがない建築用板材を提供する。【解決手段】側面の上端および下端にそれぞれ面取り部１８を有し、両面取り部の間に中間部２０を有する基板１２を用いる。そして、上記中間部の表面に接着剤２２によりプラスチックテープ２４を接着するとともに、両面取り部１８およびプラスチックテープ２４の表面を転写テープの転写層２８により被覆する。【選択図】図１
2008115642.tif 000002
【特許請求の範囲】
【請求項１】
側面の上端および下端にそれぞれ面取り部を有し、前記両面取り部の間に中間部を有する基板の前記中間部の表面に接着剤によりプラスチックテープが接着されているとともに、前記両面取り部および前記プラスチックテープの表面が被覆テープにより被覆されていることを特徴とする建築用板材。
【請求項２】
前記面取り部は、Ｃ面またはＲ面により形成されていることを特徴とする請求項１に記載の建築用板材。
【請求項３】
前記被覆テープは転写テープの転写層であることを特徴とする請求項１または２に記載の建築用板材。
【請求項４】
前記接着剤はホットメルト接着剤であることを特徴とする請求項１〜３のいずれか１項に記載の建築用板材。
【請求項５】
前記プラスチックテープの両面にそれぞれコロナ放電処理およびプライマー塗布処理の一方または両方が施されていることを特徴とする請求項１〜４のいずれか１項に記載の建築用板材。
【請求項６】
前記両面取り部および前記プラスチックテープの表面と前記被覆テープとの間にホットメルト接着剤の層を介在させたことを特徴とする請求項１〜５のいずれか１項に記載の建築用板材。
【発明の詳細な説明】
【技術分野】
【０００１】
本発明は、例えば収納部材用板材、棚板、扉、階段の踏板、床板等に使用される建築用板材に関する。
【背景技術】
【０００２】
従来、収納部材用板材、棚板、扉、階段の踏板、床板等の建築用板材において、角部に面取りを施すことが行われている（例えば、特許文献１参照）。このような建築用板材として、図３に示すものがある。図３の建築用板材５０は、木質系基板５２の側面にプラスチックからなるエッジテープ５４を接着剤５６により接着したものである。エッジテープ５４は、上端および下端にそれぞれ面取り部５８、５８を有し、両面取り部５８、５８の間に中間部６０を有する。なお、図示していないが、基板５２の上面および下面にはそれぞれ化粧シートが貼着されている。
【０００３】
【特許文献１】特開２００６−９３７２号公報
【発明の開示】
【発明が解決しようとする課題】
【０００４】
しかし、図３の建築用板材５０は、基板５２とエッジテープ５４とを接着する接着剤５６が外部から見えたり、基板５２とエッジテープ５４との間から接着剤５６がはみ出たりすることがあり、このように接着剤５６が外部から見えることによって、建築用板材５０の見栄えが悪くなるという問題を有していた。特に、建築用板材５０の色と接着剤５６の色とが異なる場合は、接着剤５６が外部から見えることによって建築用板材５０の見栄えが非常に悪くなるものであった。
【０００５】
本発明は、前述した事情に鑑みてなされたもので、側面の上端および下端にそれぞれ面取り部を有し、かつ基板の側面にプラスチックテープを接着剤により接着した建築用板材であって、基板とプラスチックテープとを接着する接着剤が外部から見えることがなく、したがって見栄えに優れた建築用板材を提供することを目的とする。
【課題を解決するための手段】
【０００６】
本発明は、前述の目的を達成するため、側面の上端および下端にそれぞれ面取り部を有し、前記両面取り部の間に中間部を有する基板の前記中間部の表面に接着剤によりプラスチックテープが接着されているとともに、前記両面取り部および前記プラスチックテープの表面が被覆テープにより被覆されていることを特徴とする建築用板材を提供する。
【０００７】
本発明の建築用板材は、基板の中間部の表面にプラスチックテープを接着し、さらに両面取り部およびプラスチックテープの表面を被覆テープにより被覆する。そのため、本発明の建築用板材では、基板とプラスチックテープとを接着する接着剤が被覆テープによって隠蔽され、接着剤が外部から見えることがないため、優れた見栄えを得ることができる。
【０００８】
以下、本発明につきさらに詳しく説明する。本発明において、基板の材質に限定はなく、木質系基板、プラスチック系基板、金属系基板、無機質材料系基板などを適宜使用することができるが、木質系基板を用いることが特に好ましい。木質系基板としては、例えば、ムク板、合板、集成材、パーティクルボード、ＭＤＦや、これらの材料からなる板材を貼り合わせた複合板、フラッシュ構造板などが挙げられる。
【０００９】
本発明において、基板の面取り部は、Ｃ面またはＲ面により形成することが好ましい。Ｃ面は板材の角部を平面でカットした面、Ｒ面は板材の角部に丸みをつけた面である。
【００１０】
本発明において、被覆テープは転写テープの転写層であることが好ましい。両面取り部およびプラスチックテープの被覆工程を転写テープを用いて行うことにより、上記被覆工程を容易に行うことができる。転写テープの積層構造に限定はないが、例えば、ベースシート上に剥離層、装飾層および接着剤層を有する転写層を積層したものを好適に用いることができる。ただし、被覆テープとして、紙やプラスチックからなる化粧シートなどを用いてもよい。
【００１１】
本発明において、プラスチックテープとしては、ＡＢＳ樹脂、ポリオレフィン系樹脂などからなるものを用いることができるが、これらに限定されるものではない。
【００１２】
本発明では、基板とプラスチックテープとを接着する接着剤としてホットメルト接着剤を用いることが適当であり、これにより上記接着工程を簡単に行うことができる。
【００１３】
本発明においては、プラスチックテープの両面にそれぞれコロナ放電処理およびプライマー塗布処理の一方または両方を施すことが好ましい。このようにすると、基板とプラスチックテープとの接着強度、プラスチックテープと被覆テープとの接着強度を向上させることができる。特に好ましいのは、プラスチックテープの両面にそれぞれコロナ放電処理を施した後、プライマー塗布処理を施すことである。プライマーとしては、公知のものを適宜選択して用いることができる。
【００１４】
本発明においては、両面取り部およびプラスチックテープの表面と被覆テープとの間にホットメルト接着剤の層を介在させることが好ましく、これによりプラスチックテープと被覆テープとの接着強度を向上させることができる。
【発明の効果】
【００１５】
本発明の建築用板材は、基板とプラスチックテープとを接着する接着剤が外部から見えることがなく、見栄えに優れている。
【発明を実施するための最良の形態】
【００１６】
以下、本発明の実施の形態を図面を参照して説明するが、本発明は下記例に限定されるものではない。図１は本発明に係る建築用板材の一実施形態を示す断面図である。
【００１７】
本例の建築用板材１０において、１２は基板を示す。本例の基板１２は、集成材からなる芯材１４の上面および下面にＭＤＦからなる面材１６、１６を貼り合わせたものである。基板１２の側面の上端および下端には、それぞれＣ面からなる面取り部１８、１８が形成され、これら両面取り部１８、１８の間に平坦な中間部２０が形成されている。なお、両面取り部１８、１８は、面材１６、１６の角部をカットすることにより形成されている。また、図示していないが、基板１２の上面および下面にはそれぞれ化粧シートが貼着されている。
【００１８】
本例の建築用板材１０において、基板１２の中間部２０の表面には、ホットメルト接着剤２２によりＡＢＳ樹脂からなるプラスチックテープ２４が接着されている。上記プラスチックテープ２４の両面には、それぞれコロナ放電処理を施した後、プライマー塗布処理を施してある。
【００１９】
本例の建築用板材１０において、両面取り部１８、１８およびプラスチックテープ２４の表面は、ホットメルト接着剤２６を介在させた状態で転写テープの転写層２８により被覆されている。すなわち、本例では、転写テープの転写層２８が被覆テープを構成している。上記転写テープは、ポリエステル系樹脂からなるベースシート上に剥離層、複数のポリウレタン系樹脂層からなる装飾層およびホットメルト接着剤からなる接着剤層を順次備えた転写層２８を積層したものである。
【００２０】
本例の建築用板材１０は、例えば下記工程により製造することができる。
（１）基板１２の中間部２０の表面に、溶液状のホットメルト接着剤２２を連続的に塗布しつつ、上記表面にプラスチックテープ２４を連続的に貼り合わせ、加圧を行って中間部２０の表面にプラスチックテープ２４を接着する。
（２）両面取り部１８、１８およびプラスチックテープ２４の表面に、ロールから繰り出したシート状のホットメルト接着剤２６を連続的に貼り合わせ、加熱・加圧を行って上記表面にホットメルト接着剤２６を接着する。
（３）両面取り部１８、１８およびプラスチックテープ２４の表面に、転写テープの転写層２８を連続的に転写する。この場合、転写テープの加熱・加圧を行いつつ、上記転写を行う。
【００２１】
なお、本発明の建築用板材は、上記実施形態に限定されるものではない。例えば、図２（ａ）〜（ｃ）に示すように、面取り部３０をＲ面やその他の面で形成し、中間部３２を曲面で形成するとともに、中間部３２の表面にプラスチックテープ３４を接着し、両面取り部３０、３０およびプラスチックテープ３２の表面を被覆テープ３６により被覆してもよい。なお、図２では、接着剤は図示を省略してある。
【図面の簡単な説明】
【００２２】
【図１】本発明に係る建築用板材の一実施形態を示す断面図である。
【図２】（ａ）〜（ｃ）はそれぞれ本発明に係る建築用板材の一実施形態を示す断面図である。
【図３】従来の建築用板材の一例を示す断面図である。
【符号の説明】
【００２３】
１０  建築用板材
１２  基板
１４  芯材
１６  面材
１８  面取り部
２０  中間部
２２  ホットメルト接着剤
２４  プラスチックテープ
２６  ホットメルト接着剤
２８  転写テープの転写層
３０  面取り部
３２  中間部
３４  プラスチックテープ
３６  被覆テープ
【図１】
2008115642.tif 000003
【図２】
2008115642.tif 000004
【図３】
2008115642.tif 000005